(57)【要約】      （修正有）【課題】針を新鮮な状態に保つことができ、フッキング率を高めることができる太刀魚テンヤを提供する。【解決手段】ヘッド部材である錘と、釣り針１１とを備える太刀魚テンヤ１であって、釣り針１１の軸をＵ字状に折り曲げて、ハリスと接続される環１４を形成し、錘に、錘の本体を貫通する貫通部１７を設け、形成された環１４を錘の底部から貫通部１７を通して錘の本体に挿入し、錘の頂点にある環穴部１６から突出させたもの。【選択図】図２
0003223600.tif 000002
【実用新案登録請求の範囲】
【請求項１】
錘となるヘッド部材と釣り針とを備える太刀魚テンヤであって、
前記釣り針の軸をＵ字状に折り曲げて、ハリスと接続される環を形成し、
前記ヘッド部材に、ヘッド部材本体を貫通する貫通孔を設け、
前記形成された環を前記貫通孔の一方からヘッド部材本体に挿入し、前記貫通孔の他方側から突出させた
ことを特徴とする太刀魚テンヤ。
【請求項２】
前記貫通孔は、ヘッド部材の底部から頂点に向かって垂直方向に設けられ、
前記形成された環を、前記底部からヘッド部材本体に挿入し、前記頂点から突出させている
ことを特徴とする請求項１記載の太刀魚テンヤ。
【請求項３】
前記ヘッド部材の後側に、ヘッド部材の底から高さ方向の中間付近まで、細い溝状の孔であるスリット部が設けられている
ことを特徴とする請求項１又は２に記載の太刀魚テンヤ。
【請求項４】
前記釣り針の軸は、前記環が形成された側に近い端部がさらに折り曲げられ、餌の頭部を固定するためのエサ止め部が形成されている
ことを特徴とする請求項１〜３のいずれか１項に記載の太刀魚テンヤ。
【考案の詳細な説明】
【技術分野】
【０００１】
本考案は、太刀魚等を釣る際に用いられる太刀魚テンヤ等の釣り具に関する。
【背景技術】
【０００２】
太刀魚釣りでは、錘と釣り針とを一体化した太刀魚テンヤが使用されることがある。図６は従来の太刀魚テンヤの構成を示す図である。太刀魚テンヤ１００は、錘１１０と釣り針１１１とが一体化されており、錘１１０にはハリスを接続するための環１１４が設けられている。釣り針１１１には、餌を固定するためのエサ止め１１２，１１３が設けられている。エサ止め１１２は、餌となる魚の頭部を突き刺し、エサ止め１１３は魚の胴部を突き刺すために用いられる。エサ止め１１２，１１３の上から餌となる魚を押し刺してワイヤー線等で巻いて固定することにより太刀魚釣りに供される。従来、太刀魚テンヤについて釣果の向上等を目的とした種々の提案がなされている（例えば、特許文献１参照。）。
【先行技術文献】
【特許文献】
【０００３】
【特許文献１】特開２０１８−２０１４７９号公報
【考案の概要】
【考案が解決しようとする課題】
【０００４】
太刀魚テンヤは、海釣りの仕掛けであり、消耗が激しい釣り具である。現在の太刀魚テンヤを用いた釣り方は、アタリを掛けに行くスタイルであり、この釣り方では太刀魚テンヤの針先の鋭さが重要になるところ、上記従来の太刀魚テンヤでは、連続使用によって針先が鈍ってしまい、フッキングする確率が減少するという問題がある。
【０００５】
また、釣行後に水洗いしても錆の発生を防ぐことはできず、針の錆びた太刀魚テンヤは商品価値が著しく減少して釣り人の使用意欲を低下させてしまう。
【０００６】
そこで、本考案は、このような問題に鑑みなされたものであり、針を新鮮な状態に保つことができ、フッキング率を高めることができる太刀魚テンヤを提供することを目的とする。
【課題を解決するための手段】
【０００７】
上記課題を解決するために、本考案に係る太刀魚テンヤは、錘となるヘッド部材と釣り針とを備える太刀魚テンヤであって、前記釣り針の軸をＵ字状に折り曲げて、ハリスと接続される環を形成し、前記ヘッド部材に、ヘッド部材本体を貫通する貫通孔を設け、前記形成された環を前記貫通孔の一方からヘッド部材本体に挿入し、前記貫通孔の他方側から突出させたことを特徴とする。
【０００８】
ここで、前記貫通孔は、ヘッド部材の底部から頂点に向かって垂直方向に設けられ、前記形成された環を、前記底部からヘッド部材本体に挿入し、前記頂点から突出させているのが好ましく、さらに、前記ヘッド部材の後側に、ヘッド部材の底から高さ方向の中間付近まで、細い溝状の孔であるスリット部が設けられているのがより好ましい。
【０００９】
さらに、前記釣り針の軸は、前記環が形成された側に近い端部がさらに折り曲げられ、餌の頭部を固定するためのエサ止め部が形成されているのが好ましい。
【００１０】
これによれば、ヘッド部材の錘と釣り針とを着脱可能な構成としているので、釣り針を交換することができ、針を新鮮な状態に保ち、フッキング率が高められた太刀魚テンヤが実現される。
【考案の効果】
【００１１】
以上のように、本考案に係る太刀魚テンヤによれば、ヘッド部材の錘と釣り針とを着脱可能な分離した構成とし、釣り針を交換可能にしているので、針を新鮮な状態に保つことができ、フッキング率を高めることができる。
【図面の簡単な説明】
【００１２】
【図１】本考案の実施形態の太刀魚テンヤの構成を示す斜視図である。
【図２】本考案の実施形態の太刀魚テンヤの構成を示す側面図である。
【図３】錘部分の底面を示す図である。
【図４】錘部分と針部分とを分離した状態を示す図である。
【図５】錘部分に針部分を挿入した状態を示す図である。
【図６】従来の太刀魚テンヤの構成を示す図である。
【考案を実施するための形態】
【００１３】
以下、本考案の実施形態について太刀魚テンヤを例に図面を参照しながら説明する。
【００１４】
図１は、本考案の実施形態の太刀魚テンヤの構成を示す斜視図である。図２は、その側面図である。
【００１５】
太刀魚テンヤ１は、錘１０と釣り針１１とで構成されている。この太刀魚テンヤ１は、従来の太刀魚テンヤと異なり、ヘッド部材である錘１０と、針部分である釣り針１１とが、着脱可能となっている。
【００１６】
太刀魚テンヤ１が着脱可能な構成である点については図３ないし図５も用いて説明する。図３は、錘部分の底面を示す図である。図４は錘部分と針部分とを分離した状態を示す図であり、図５は錘部分に針部分を挿入した状態を示す図である。
【００１７】
錘１０は、魚頭に似せた形状等の錘で構成されるヘッド部材である。この錘１０の釣り針１１が取り付けられる側は、細い溝状の孔であるスリット部１５が設けられている。スリット部１５は、高さ方向には錘１０の底から中間付近まで開口されることにより構成されている。釣り針１１が錘１０に取り付けられたときに、釣り針１１の軸が錘１０の中心から延び出るようにして、重心のバランスを良好に保つためである。同様の理由により、スリット部１５は、錘１０の幅方向の中央付近に開口されている。なお、重心のバランスを錘１０の自重等で調整する場合は、スリット部１５を、高さ方向の中間付近まで開口しなくてもよいし、幅方向の中央付近に開口しなくてもよい。
【００１８】
釣り針１１は、錘１０から後方へ延び出している。釣り針１１は、錘１０に近いエサ止め１２は、主に餌（例えば、イワシ等の魚）の頭部付近に突き刺して餌を固定するためのエサ止め１２を備えている。
【００１９】
釣り針１１は、この針先から針先の反対側の端部まで、すなわち、針先の曲がる方向と反対方向へ垂直に曲げられたエサ止め１２までが部分的に折り曲げられて一体になって形成されている。つまり、図２に示すように、針の軸を針先と反対方向へ垂直に曲げた後、Ｕ字状に屈曲させてハリスを接続するための環１４が形成されている。さらに、針先に向かって再び垂直に曲げた後、針先の曲がる方向と反対方向へ垂直に曲げてエサ止め１２が形成されている。このように、釣り針１１は、釣り針１１の軸が部分的に折り曲げられることにより、針先と針の軸と環１４とエサ止め１２とが一体になった構成になっている。
【００２０】
針先に近いエサ止め１３は、主に餌の胴部に突き刺して餌を固定するものである。餌の胴部を固定するためのエサ止め１３は、釣り針１１の軸にワイヤで巻き付ける等により取り付けられている。
【００２１】
錘１０の底部から錘１０の頂点までは垂直方向に孔が貫通されており、貫通部１７が形成されている。釣り針１１の軸をＵ字状に屈曲させて形成された環１４は、図５に示すように錘１０の底部の開口部から挿入され、貫通部１７を通って錘１０の頂点に形成された環穴部１６から突き出て、図２に示すようにハリスに接続できるようになる。このように、貫通部１７は、環１４を通すために錘１０の底部から錘１０の頂点の環穴部１６までを貫通させたものである。よって、貫通部１７と、錘１０の釣り針１１が取り付けられる側（後ろ側）のスリット部１５とは、側面から見ると錘１０の内部においてＬ字型を構成するよう刳り抜いて形成されていることになる。
【００２２】
なお、このとき、挿入された釣り針１１の軸が錘１０から抜け落ちないように、錘１０の内部（例えば、スリット部１５の内部）に対向して形成された凸部であるストッパー１８を備えるとしてもよい。なお、環１４にはハリスが接続され、このハリスが釣り針１１を引っ張ることになるので、ストッパー１８を形成しなくてもよい。
【００２３】
このように構成された太刀魚テンヤ１は、錘１０と釣り針１１とを着脱可能とし、釣り針１１を交換可能にしているので、釣り針１１を常に新鮮な状態に保つことができ、フッキング率を高められる。また、状況に応じて太刀魚テンヤ１のバリエーションを変更することができる。すなわち、ヘッドの部材である錘１０のサイズを変更したり、形状を変更した錘１０に差し替えて使用することができる。また、配色の異なる錘１０に差し替えたり、鉛製からタングステン製へ差し替えるように比重の異なる錘１０に差し替えたりして、対象魚である太刀魚の反応を見るといった使い方が可能となる。また、錘１０を差し替えるだけでなく、状況に応じて釣り針１１のサイズを変更することもできる。
【００２４】
このように、本実施形態の太刀魚テンヤによれば、釣り針１１の軸を部分的に折り曲げて、針先、針の軸、ハリスが接続される環１４、および、餌の頭部を固定するエサ止め１２を一体とした構成とし、錘１０の底部から錘１０の頂点まで垂直方向に孔を貫通させて貫通部１７と環穴部１６とを形成し、この貫通部１７に釣り針１１の環１４を挿入して環穴部１６から突き出す構成としているので、錘１０と釣り針１１とを着脱可能にすることができる。これにより、釣り針１１が交換可能となり、釣り針１１を常に新鮮な状態に保ち、フッキング率を高めることができるようになる。また、状況に応じて太刀魚テンヤ１のバリエーションを変更することも可能となる。
【００２５】
以上、本考案に係る太刀魚テンヤについて、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００２６】
例えば、上記実施の形態では、垂直方向に貫通部を設ける例を説明したが、水平方向に貫通部を設けたり、斜め方向に貫通部を設けたりしてもよい。
【００２７】
また、上記実施の形態では、釣り針の軸を部分的に折り曲げて環を形成した後、針先と反対側の端部を餌の頭部を固定するためのエサ止めとして形成したが、環を形成した後はエサ止めとして構成する必要はなく、環に接続されるハリスによって釣り針がヘッド部材から抜け落ちないような端始末とすれば足りる。
【産業上の利用可能性】
【００２８】
本考案は、太刀魚釣りに用いられる太刀魚テンヤ等に適用可能である。
【符号の説明】
【００２９】
１，１００  太刀魚テンヤ
１０，１１０  錘
１１，１１１  釣り針
１２，１３，１１２，１１３  エサ止め
１４，１１４  環
１５  スリット部
１６  環穴部
１７  貫通部
１８  ストッパー
【図１】
0003223600.tif 000003
【図２】
0003223600.tif 000004
【図３】
0003223600.tif 000005
【図４】
0003223600.tif 000006
【図５】
0003223600.tif 000007
【図６】
0003223600.tif 000008